(57)【要約】      （修正有）【課題】液晶テレビの直下型バックライトモジュールに用いるランプホルダーを提供する。【解決手段】本バックライトモジュールのランプホルダーは、絶縁本体２２０及び導電ストリップ２４０を含む。絶縁本体は凹溝２２２、止め片２２４及び固定用空間２２６を有する。凹溝は底面２２２ａを有し、底面の一部の領域は、くぼんで収納槽２２８を形成する。固定用空間は収納槽の一方側に設置される。止め片は収納槽と固定用空間との間に位置し、また、止め片は割れ目２２４ａを有し、収納槽はこの割れ目を介して固定用空間と連通する。導電ストリップは絶縁本体の凹溝の内に設けられ、また、導電ストリップは、凹溝の収納槽の内に置かれるくぼみ部２４０ａを有する。【選択図】図３Ａ
0003154593.tif 000002
【実用新案登録請求の範囲】
【請求項１】
直下型バックライトモジュールのバックプレートの内に設けられ、ランプを固定するために用いられるバックライトモジュールのランプホルダーであって、
前記ランプは、ランプ本体と、電極と、を含み、前記電極は、前記ランプ本体と電気的に接続され、
前記ランプホルダーは、
凹溝と、止め片と、固定用空間と、を有する絶縁本体であって、前記凹溝は、底面を有し、前記底面の一部の領域は、くぼんで収納槽を形成し、前記固定用空間は、前記収納槽の一方側に設置され、前記止め片は、前記収納槽と前記固定用空間との間に位置し、前記止め片は、割れ目を有し、前記収納槽は、前記止め片の前記割れ目を介して前記固定用空間と連通する、絶縁本体と、
前記絶縁本体の前記凹溝の内に設けられ、くぼみ部を有する導電ストリップであって、前記くぼみ部は、前記収納槽の内に置かれる、導電ストリップと、
を含み、
前記ランプの前記ランプ本体は、前記絶縁本体の前記固定用空間の内に固定されるときに、前記電極は、前記止め片の前記割れ目を介して前記導電ストリップの前記くぼみ部と接触する、
バックライトモジュールのランプホルダー。
【請求項２】
前記絶縁本体は、さらに、位置決め槽を有し、前記位置決め槽は、前記凹溝の一端部に位置し、
前記導電ストリップは、Ｌ形の湾曲構造であり、長いストリップ部と、短いストリップ部と、を含み、前記長いストリップ部は、前記凹溝の底面上に置かれ、前記短いストリップ部は、前記位置決め槽の内に挿入される、
請求項１に記載のバックライトモジュールのランプホルダー。
【請求項３】
前記位置決め槽の深さは、前記導電ストリップの前記短いストリップ部の長さより小さい、
請求項２に記載のバックライトモジュールのランプホルダー。
【請求項４】
前記絶縁本体の前記凹溝の底面と、前記導電ストリップの前記長いストリップ部との間には、隙間がある、
請求項２に記載のバックライトモジュールのランプホルダー。
【請求項５】
前記絶縁本体の材料は、ゴムである、
請求項１に記載のバックライトモジュールのランプホルダー。
【請求項６】
前記導電ストリップの前記くぼみ部は、前記導電ストリップと、前記ランプの前記電極とを電気的に接続するためのハンダを収納する、
請求項１に記載のバックライトモジュールのランプホルダー。
【請求項７】
前記絶縁本体の前記凹溝は、さらに、側壁を有し、前記側壁は、前記導電ストリップと、前記バックプレートとの間に位置し、前記導電ストリップと、前記バックプレートとを電気隔離する、
請求項１に記載のバックライトモジュールのランプホルダー。
【請求項８】
前記凹溝の前記側壁と、前記止め片との間の距離は、前記導電ストリップの幅より大きい、
請求項７に記載のバックライトモジュールのランプホルダー。
【請求項９】
前記導電ストリップは、前記止め片とすぐ隣り合い、前記凹溝の前記側壁との間に隙間を形成する、
請求項７に記載のバックライトモジュールのランプホルダー。
【請求項１０】
前記絶縁本体は、さらに、位置決め槽を有し、前記位置決め槽は、前記凹溝の一端部に位置し、
前記導電ストリップは、位置決め部を有し、前記位置決め部は、前記位置決め槽に係合する、
請求項１に記載のバックライトモジュールのランプホルダー。
【考案の詳細な説明】
【技術分野】
【０００１】
本考案は、バックライトモジュールのランプホルダーに関し、特に、液晶テレビの直下型バックライトモジュールに用いるランプホルダーに関する。
【背景技術】
【０００２】
図１は、従来の直下型バックライトモジュール１００を示す図である。直下型バックライトモジュール１００は、少なくとも、バックプレート１２０、ランプホルダー１４０、細長い形の銅片１６０及び冷陰極蛍光ランプ１８０を含む。ランプホルダー１４０は、バックプレート１２０の内部に設けられ、冷陰極蛍光ランプ１８０を固定するために用いられる。ランプホルダー１４０は、挟持部１４２及び置き部１４４を有する。挟持部１４２は、冷陰極蛍光ランプ１８０を挟み持つために用いられる。置き部１４４は、挟持部１４２の一方側に設けられ、細長い形の銅片１６０をその上に置くために用いられる。図１に示すように、冷陰極蛍光ランプ１８０の端部は、ランプホルダー１４０の挟持部１４２に挿入した後に、その電極１８２は、挟持部１４２を通り抜けて細長い形の銅片１６０と接触する。
【０００３】
図２に示すように、冷陰極蛍光ランプ１８０の電極１８２は、溶接方式で細長い形の銅片１６０に固定されて溶接点１９０を形成する。従来の溶接点１９０の構造については、次のように説明する。溶接点１９０は、ハンダからなり、ハンダは、電極１８２、及び、電極１８２と細長い形の銅片１６０との間の接触部位を覆う。電極１８２が円周面で細長い形の銅片１６０の平面と接触するので、電極１８２と細長い形の銅片１６０との間の接触面積が小さく、これにより、溶接するときに、溶接点に必要なハンダ量を制御することができないのみならず、製造コストにも影響を与える。また、電極１８２が細長い銅片１６０の平面上において滑りやすいので、溶接ズレが生じ、或いは、ハンダの覆う効果が悪くなり、これにより、図２に示すような電極１８２が溶接点１９０の外に露出してしまう。
【０００４】
細長い形の銅片１６０はバックプレート１２０に近すぎ、且つ、バックプレート１２０との間には有効な電気隔離がないので、漏電のリスクがあり、例えば、低圧放電又は短絡などの安全性の面の懸念がある。それ以外、細長い形の銅片１６０が位置決めされないので、位置決めに必要な作業時間がかかり、これにより、生産にかかる時間が増えてしまう。
【考案の概要】
【考案が解決しようとする課題】
【０００５】
本考案の目的は、バックライトモジュールのランプホルダーを提供することにあり、これにより、このランプホルダーに固定されるランプの電極と銅片との接触面積を増やし、各々の溶接点のハンダ量がほぼ同じになるようにすると同時に、ハンダの覆う効果を向上し、漏電及び銅片の位置決め不良の問題を改善することができる。
【０００６】
本考案の他の目的及び利点が、本考案に開示される技術的特徴からより一層理解されることができる。
【課題を解決するための手段】
【０００７】
前述した一又は部分又は全部の目的或いは他の目的を達成するために、本考案の一実施例によれば、直下型バックライトモジュールのバックプレートの内に設けられ、ランプを固定するためのバックライトモジュールのランプホルダーが提供される。ランプホルダーは、絶縁本体及び導電ストリップを含む。絶縁本体は、材料がゴムであっても良く、凹溝、止め片及び固定用空間を有する。凹溝は、底面を有し、この底面の一部の領域は、くぼんで収納槽を形成する。固定用区間は、収納槽の一方側に設置される。止め片は、収納槽と固定用空間との間に位置し、また、割れ目を有し、これにより、収納槽は、止め片の割れ目を介して固定用空間と連通する。導電ストリップは、絶縁本体の凹溝に設けられ、且つ、収納槽の内に置かれるくぼみ部を有する。
【０００８】
ランプは、ランプ本体及び電極を含み、電極は、ランプ本体の一端に電気的に接続される。ランプのランプ本体が絶縁本体の固定用空間の内に固定されるときに、電極は、止め片の割れ目を介して導電ストリップのくぼみ部と接続する。導電ストリップのくぼみ部は、ハンダをその内に置くために用いられ、導電ストリップ及びランプの電極と電気的に接続される。絶縁本体の凹溝は、さらに、側壁を有し、前述したランプホルダーがバックプレートの内に設けられるときに、側壁は、導電ストリップとブックプレートとの間に位置し、導電ストリップとバックプレートを電気隔離する（即ち、絶縁する）。
【０００９】
他の実施例において、絶縁本体は、さらに、位置決め槽を含み、この位置決め槽は、凹溝の一端部に位置する。導電ストリップは、位置決め部を有し、この位置決め部は、位置決め槽に係合する。より具体的には、導電ストリップは、Ｌ形の湾曲構造であり、長いストリップ部及び短いストリップ部を含み、長いストリップ部は、絶縁本体の凹溝の底面上に設けられ、短いストリップ部は、絶縁本体の位置決め槽の内に挿入される。絶縁本体の凹溝の底面と導電ストリップの長いストリップ部との間には隙間があり、言い換えると、位置決め槽の深さは、導電ストリップの短いストリップ部の長さより小さい。好ましくは、凹溝の側壁と止め片との間に距離は、導線ストリップの幅より大きく、且つ、導電ストリップは、止め片とすぐ隣り合い、凹溝の側壁との間は、隙間を形成する。
【考案の効果】
【００１０】
以上述べたところを総合すれば、本考案の実施例によるランプホルダーは、一定量のハンダを有し、溶接点の溶接ズレを避け、ランプが高温溶接の影響を受けることを防止し、漏電のリスクがない等の利点を有する。
【図面の簡単な説明】
【００１１】
【図１】従来の直下型バックライトモジュールを示す図である。
【図２】従来の直下型バックライトモジュールの溶接点を示す図である。
【図３Ａ】本考案の一実施例による直下型バックライトモジュールのランプホルダーの分解図である。
【図３Ｂ】本考案の一実施例による直下バックライトモジュールのランプホルダーの組合せ図である。
【図４】本考案の一実施例による直下バックライトモジュールのランプホルダーの断面図である。
【図５】本考案の一実施例によるランプホルダーとバックプレートとの組合せ図である。
【図５Ａ】図５のＡ−Ａ断面を示す図である。
【考案を実施するための形態】
【００１２】
次に、添付した図面を参照しながら、本考案の好適な実施形態を詳細に説明する。
【００１３】
なお、次の各実施例の説明は、添付した図面を参照して行われたものであり、本考案の実施可能な特定の実施例を例示するために用いられる。また、本考案に言及した方向の用語、例えば、上、下、前、後、左、右などは、添付した図面の方向を参考するためのもののみである。よって、以下に使用された方向の用語は、説明のために用いられ、本考案を限定するためのものでない。
【００１４】
図３Ａを参照する。図３Ａに示すように、ランプホルダー２００は、直下型バックライトモジュールのバックプレート（図示せず）の内に設けられ、ランプ３００を固定するために用いられる。ランプ３００は、ランプ本体３２０と電極３４０を含む。電極３４０は、ランプ本体３２０の一端部３２２に電気的に接続され、電極３４０の材料は、金属導線などの電気材料、例えば、鉛線（リードワイヤー：lead  wire）であっても良い。
【００１５】
ランプホルダー２００は、絶縁本体２２０及び導電ストリップ２４０を含む。絶縁本体２２０は、ゴム又は他の弾性のある絶縁材料からなっても良く、凹溝２２２、止め片２２４及び固定用空間２２６を有する。凹溝２２２は、導電ストリップ２４０を置くための底面２２２ａを有する。本実施例において、絶縁本体２２０は、更に、位置決め槽２２１を含み、位置決め槽２２１は、凹溝２２２の一端部に位置する。他の実施例において、絶縁本体２２０は、一体成型により、位置決め槽２２１、凹溝２２２、止め片２２４及び固定用空間２２６を形成する。
【００１６】
本実施例において、導電ストリップ２４０は、くぼみ部２４０ａを有し、凹溝２２２の底面２２２ａの一部の領域は、くぼんで収納槽２２８を形成し、収納槽２２８は、導電ストリップ２４０のくぼみ部２４０ａをその内に設置するために用いられる。凹溝２２２は、側壁２２２ｂを有し、側壁２２２ｂは、止め片２２４に対向し、且つ、止め片２２４とは、それぞれ、収納槽２２８の対向する両側に直立する。固定用空間２２６は、収納槽２２８の一方側に設置され、止め片２２４は、収納槽２２８と固定用空間２２６との間に位置し、収納槽２２８と固定用空間２２６を隔離するために用いられる。また、止め片２２４は、割れ目２２４ａを有し、収納槽２２８は、止め片２２４の割れ目２２４ａを介して固定用空間２２６と連通することができる。
【００１７】
導電ストリップ２４０は、長いストリップ形の銅片又は他の導電性の良い金属材料からなってもよい。なお、導電ストリップ２４０のくぼみ部２４０ａは、導電ストリップ２４０を湾曲させることにより形成された孤形部位であり、その湾曲の程度は、収納槽２２８の内に置くことができ、且つ、ランプ３００の電極３４０をその内に置かせることができるのである。なお、導電ストリップ２４０は、位置決め部を有し、この位置決め部は、絶縁本体２２０の位置決め槽２２１に係合する。一実施例において、導電ストリップ２４０をＬ形の構造に湾曲させても良く、このＬ形の構造は、長いストリップ部２４２及び短いストリップ部２４４を有し、また、短いストリップ部２４４は、位置決め部として使用される。
【００１８】
図３Ｂを参照する。図３Ｂは、ランプ３００とランプホルダー２００とを組み立てた後の構造を示す図である。説明の便宜のため、図３Ｂには、図３Ａの側壁２２２ｂが示されない。ランプ３００のランプ本体３２０の端部３２２が絶縁本体２２０の固定用空間２２６の内に挿入されるときに、絶縁本体２２０は、その自身の弾力を用いてランプ３００のランプ本体３２０を強く挟み、このときに、電極３４０は、止め片２２４の割れ目２２４ａを介して導電ストリップ２４０のくぼみ部２４０ａと接触する。くぼみ部２４０ａがハンダを収納し、このハンダで導電ストリップ２４０とランプ３００の電極３４０とを溶接することにより、溶接点４００が形成される。
【００１９】
図４に示すように、従来技術の中の溶接点１９０の構造と比較すれば、本実施例では、ランプ３００の電極３４０の円周面がくぼみ部２４０ａの弧形曲面と接触し、導電ストリップ２４０と接触する電極３４０の表面積が大きくなり、また、溶接過程において電極３４０と導電ストリップ２４０の位置ズレが生じにくいので、溶接点４００の溶接ズレを避けることができる。それ以外、電極３４０がくぼみ部２４０ａに置かれた後に、くぼみ部２４０ａから露出した電極２４０の表面が僅か少しであり、また、くぼみ部２４０ａがハンダを収納することができるので、ハンダで電極を完全に覆うことがより易くなる。
【００２０】
図３Ａを同時に参照する。導線ストリップ２４０のくぼみ部２４０ａが絶縁本体２２０の収納部２２８に置かれたときに、くぼみ部２４０ａの対向する二つの開口が側壁２２２ｂ及び止め片２２４によりブロックされることにより、空間が形成され、この空間が一定量のハンダを収納することができるので、各々のくぼみ部２４０ａの内のハンダ量がほぼ同じようになり、これにより、ハンダのコストを容易に制御することができる。また、止め片２２４は、断熱材料からなっても良く、収納槽２２８と固定空間２２６が止め片２２４により隔離されたので、溶接過程において、止め片２２４は、温度の低いランプ３００が温度の高いハンダと接触すること、或いは、温度の高いハンダの影響を間接に受け異常が生じることを避けることができる。
【００２１】
図３Ｂと図４を参照する。これらの図に示すように、導電ストリップ２４０の長いストリップ部２４２は、絶縁本体２２０の凹溝２２２の底面２２２ａ上に置かれ、短いストリップ部２４４は、絶縁本体２２０の位置決め槽２２１の内に挿入される。一実施例において、位置決め槽２２１の深さＤは、導電ストリップ２３０の短いストリップ部２４４の長さより小さく、言い換えると、絶縁本体２２０の凹溝２２２の底面２２２ａと導電ストリップ２４０の長いストリップ部２４２との間には隙間２３０があり、これにより、電極３４０と導電ストリップ２４０との間の溶接点４００が外部衝撃により破壊することを防止できる。また、導電ストリップ２４０の位置決め部により、導電ストリップ２４０が迅速に位置決めされることができる。図５を参照する。図５は、ランプホルダー２００、ランプ３００及びバックプレート５００の組合せ構造を示す図である。ここで、ランプホルダー２００とランプ３００との組合せは、前述した実施例のようであり、導電ストリップ２４０は、ランプホルダー２００の凹溝２２２の内に置かれ、一端が位置決めされ、もう一端が電源（図示せず）に電気的に接続され、また、導電ストリップ２４０は、溶接により、ランプ３００の電極３４０と接続される。バックプレート５００は、ランプホルダー２００とランプ３００の外側に設置され、金属材料からなっても良い。この場合、絶縁本体２２０の凹溝２２２の側壁２２２ｂは、導電ストリップ２４０とバックプレート５００との間に位置し、導電ストリップ２４０とバックプレート５００を電気隔離（即ち、絶縁）するので、導電ストリップ２４０が金属のバックプレート５００とすぐ隣り合うことにより漏電又は短絡が生じることを防止できる。
【００２２】
図５Ａを参照する。図５Ａは、図５のＡ−Ａ断面である。一実施例において、凹溝２２２の側壁２２２ｂと止め片２２４との間の距離Ｗ１は、導電ストリップ２４０の幅Ｗ２より大きい。よって、導電ストリップ２４０が止め片２２４とすぐ隣り合うときに、導電ストリップ２４０と側壁２２２ｂとの間は隙間２２３を形成し、この隙間２２３は、図４に示す隙間２３０と同様に、外部衝撃力の緩衝空間として用いられることができ、これにより、電極３４０と導電ストリップ２４０との間の溶接点４００が外部衝撃を受けることにより破壊することを防止できる。
【００２３】
以上述べたところを総合すれば、本実施例によるランプホルダー２００の構造は、一定量のハンダを有し、溶接点４００の溶接ズレを避け、ランプ３００が高温溶接の影響を受けることを防止し、及び、漏電のリスクがない等の利点を有する。前述したランプホルダー２００を採用した直下型バックライトモジュールを液晶テレビに応用すると、この液晶テレビに対してＨＩ−ＰＯＴテストを行うときに比較的高い安全係数が得られるので、この液晶テレビの品質及び電気的安全性は、ＪＳＩ、ＣＳＡ、ＢＳＩ、ＵＬ、ＩＥＣ、ＴＵＶ等の国際安全機構が要求する標準を満たしている。即ち、所定の時間内に前述した国際安全機構が規定した高電圧電源を入力電源として液晶テレビに印加し、且つ、この高電圧電源を印加している期間に電弧の破壊又は崩壊が生じにくい。
【００２４】
本考案は、前述した好適な実施例に基づいて以上のように開示されたが、前述した好適な実施例は、本考案を限定するためのものでなく、当業者は、本考案の精神と範囲を離脱しない限り、本考案に対して些細な変更と潤色を行うことができるので、本考案の保護範囲は、添付した特許請求の範囲に定まったものを基準とする。また、本考案の何れの実施例又は特許請求の範囲は、本考案に開示された全ての目的又は利点又は特徴を達成する必要がない。また、要約の部分と考案の名称は、文献の検索を助けるためのみのものであり、本考案の権利範囲を限定するものでない。
【符号の説明】
【００２５】
１００  従来の直下型バックライトモジュール
１２０  バックプレート
１４０  ランプホルダー
１４２  挟持部
１４４  置き部
１６０  細長い銅片
１８０  冷陰極蛍光ランプ
１８２  電極
１９０  溶接点
２００  ランプホルダー
２２０  絶縁本体
２２１  位置決め槽
２２２  凹溝
２２２ａ  底面
２２２ｂ  側壁
２２３  隙間
２２４  止め片
２２４ａ  割れ目
２２６  固定用空間
２２８  収納槽
２３０  隙間
２４０  導電ストリップ
２４０ａ  くぼみ部
２４２  長いストリップ部
２４４  短いストリップ部
３００  ランプ
３２０  ランプ本体
３２２  ランプ本体の端部
３４０  電極
４００  溶接点
Ｄ  位置決め槽の深さ
Ｌ  導電ストリップの短いストリップの長さ
５００  バックプレート
【図１】
0003154593.tif 000003
【図２】
0003154593.tif 000004
【図３Ａ】
0003154593.tif 000005
【図３Ｂ】
0003154593.tif 000006
【図４】
0003154593.tif 000007
【図５】
0003154593.tif 000008
【図５Ａ】
0003154593.tif 000009